(57)【要約】【課題】本発明は多機能手持ち小型扇風機を開示した。【解決手段】主体を含み、前記主体の頂端にはＴ型ブロックが回転できるように設けられ、前記Ｔ型ブロックの中には伝動チャンバが設けられ、前記伝動チャンバの中には扇風機機構と照明機構が設けられ、前記扇風機機構は風を吹くことができ、風吹きが必要とされない場合は、前記Ｔ型ブロックを回して照明機構に切り替えることにより照明でき、夜間の使用要求を満足し、手動でハンドルを握り、これにより連動ロッドが発電ラックを右に往復移動させ、これにより滑車輪が回転し、これにより磁石が回転し、磁石と発電導線とが電磁誘導によって発電し、装置が環境保護によくなり、電力を節約する。【選択図】図１
2020176616.tif 000002
【特許請求の範囲】
【請求項１】
主体を含み、前記主体の頂端にはＴ型ブロックが回転できるように設けられ、前記Ｔ型ブロックの中には伝動チャンバが設けられ、前記伝動チャンバの中には扇風機機構と照明機構が設けられ、前記扇風機機構は風を吹くことができ、風吹きが必要とされない場合は、前記Ｔ型ブロックを回して照明機構に切り替えることにより照明でき、前記主体の左側端面には凹溝が設けられ、前記凹溝の右側には中部空きチャンバが設けられ、前記中部空きチャンバの頂部の前記主体の中には発電チャンバが設けられ、前記発電チャンバの中には発電機構が設けられ、前記発電機構の頂部の前記主体の中にはバッテリーが固定的に設けられ、前記バッテリーは蓄電することができ、かつ前記扇風機機構と前記照明機構に電力を提供し、前記主体の底端には上挟み板が固定的に設けられ、前記上挟み板の底端には下挟み板がヒンジによって連結され、前記上挟み板と前記下挟み板とがヒンジにより連結されるところがトーションばねを通じて弾性的に連結され、前記上挟み板と前記下挟み板とがテーブルの角に挟むことができ、装置全体をテーブルに固定的に取り付け、前記主体の右側端面にはラック溝が設けられ、前記ラック溝の中にはラック機構が設けられ、前記ラック機構は前記Ｔ型ブロックの回転をコントロールでき、これにより前記照明機構と前記扇風機機構との間に切り替えることができることを特徴とする多機能手持ち小型扇風機。
【請求項２】
前記発電機構は前記凹溝の中に回転できるように設けられたハンドルを含み、前記ハンドルの中にはスライド溝が設けられ、前記スライド溝の中にはスライドブロックがスライドできるように取り付けられ、前記中部空きチャンバの底壁には底部溝が設けられ、前記底部溝の中には発電ラックがスライドできるように設けられ、前記発電ラックの左側末端には円柱ブロックがヒンジによって連結され、前記凹溝の底壁には連動ロッドがヒンジによって連結され、前記円柱ブロックが連動ロッドの外周にスライドできるように取り付けられ、前記連動ロッドの頂端が前記スライドブロックとヒンジにより連結され、前記発電チャンバと前記中部空きチャンバとの間には上下に伸びている発電軸が回転できるように設けられ、前記発電軸の底端には滑車輪が固定的に設けられ、前記滑車輪と前記発電ラックとが噛み合い、前記発電軸の外周には回転盤が固定的に設けられ、前記回転盤の底端には回転飛びブロックがヒンジによって連結され、前記回転飛びブロックが左右対称に設けられ、前記発電軸の頂端には前記発電チャンバの中に位置する磁石が固定的に設けられ、前記発電チャンバの中には発電導線も設けられ、前記発電導線と前記バッテリーとが電力が伝達できるように接続され、本装置を手で持ち、ハンドルを握り、連動ロッドが円柱ブロックによって発電ラックを押し、滑車輪を回転させ、かつ滑車輪が一つの方向にしか回転できなく、これにより発電軸を回転連動させ、回転飛びブロックを回転連動させ、磁石を回転させ、発電の目的を達することを特徴とする請求項１に記載の多機能手持ち小型扇風機。
【請求項３】
前記照明機構は前記伝動チャンバの左側端壁の中に回転できるように設けられたメイン軸を含み、前記メイン軸の左側末端にはファンが固定的に設けられ、前記メイン軸の右端には従動歯車が固定的に設けられ、前記Ｔ型ブロックの底部の前記主体の中には導電盤が固定的に設けられ、前記伝動チャンバの底壁の中には軸スリーブが回転できるように設けられ、前記軸スリーブの中には動力軸が回転できるように設けられ、前記動力軸の頂端には前記従動歯車と噛み合うように設けられた動力歯車が固定的に設けられ、前記動力軸の底端が前記主体の中に固定的に嵌められるモーターと動力が伝達できるように連結され、前記モーターと前記バッテリーとが電力が伝達できるように接続され、前記Ｔ型ブロックの右側端面には照明チャンバが設けられ、前記照明チャンバの中には照明電球がねじ山によって係合し取り付けられ、前記照明電球と前記導電盤とが電力が伝達できるように接続され、前記導電盤と前記バッテリーとが電線によって電力が伝達できるように接続され、動力軸が回転し、動力歯車を回転連動させ、メイン軸を回転連動させ、ファンを回転させることを特徴とする請求項１に記載の多機能手持ち小型扇風機。
【請求項４】
前記ラック機構は前記ラック溝の底壁の中に回転できるように設けられた縦軸を含み、前記縦軸の底部が下へ伸びており、かつ前記縦軸の底端には大型歯車が固定的に設けられ、前記大型歯車と前記Ｔ型ブロックとが噛み合い、前記大型歯車の底端には円盤が固定的に設けられ、前記円盤の左右両端には引掛り溝が対称的に設けられ、前記円盤の右側には引掛りブロックがスライドできるように設けられ、前記引掛りブロックは前記引掛り溝の中に引っ掛かることができ、前記円盤の位置を制限し、これにより前記Ｔ型ブロックの位置が制限され、前記引掛りブロックの底端にはリセット機構が固定的に設けられ、、前記縦軸の外周には小型歯車が固定的に設けられ、前記ラック溝の中にはラックがスライドできるように設けられ、前記ラックと前記小型歯車とが噛合し設けられ、前記ラックの左側端面と前記ラック溝の左側端壁との間にはバネが弾性的にに連結され、前記主体の右端面には回転ブロックがヒンジによって設けられ、前記回転ブロックと前記ラックとが当接し係合され、まず引掛りブロックを右に引き出し、同時に回転ブロックの上半部分を押し、ラックを左に移動させ、これにより小型歯車が回転し、大型歯車を回転連動させることによりＴ型ブロックを回転させ、扇風機機構と照明機構との位置交換を実現することを特徴とする請求項１に記載の多機能手持ち小型扇風機。
【発明の詳細な説明】
【技術分野】
【０００１】
本発明は扇風機技術分野を取り上げて、具体的には多機能手持ち小型扇風機である。
【背景技術】
【０００２】
外出や旅行する時、暑い天気の時、人々は一般的に手持ち扇風機で風を吹いて温度を下げ、現在では手持ち小型扇風機の機能のほとんどが単一であり、日常の使用要求に満足できなく、従って、多機能手持ち小型扇風機を設計する必要があり、夜間の使用要求を満足する。
【先行技術文献】
【特許文献】
【０００３】
【特許文献１】中国特許出願公開第１０６５４５５０６号明細書
【発明の概要】
【発明が解決しようとする課題】
【０００４】
本発明の目的は多機能手持ち小型扇風機を提供し、それは上記の現在の技術中の問題を解決できる。
【課題を解決するための手段】
【０００５】
本発明の多機能手持ち小型扇風機は、主体を含み、前記主体の頂端にはＴ型ブロックが回転できるように設けられ、前記Ｔ型ブロックの中には伝動チャンバが設けられ、前記伝動チャンバの中には扇風機機構と照明機構が設けられ、前記扇風機機構は風を吹くことができ、風吹きが必要とされない場合は、前記Ｔ型ブロックを回して照明機構に切り替えることにより照明でき、前記主体の左側端面には凹溝が設けられ、前記凹溝の右側には中部空きチャンバが設けられ、前記中部空きチャンバの頂部の前記主体の中には発電チャンバが設けられ、前記発電チャンバの中には発電機構が設けられ、前記発電機構の頂部の前記主体の中にはバッテリーが固定的に設けられ、前記バッテリーは蓄電することができ、かつ前記扇風機機構と前記照明機構に電力を提供し、前記主体の底端には上挟み板が固定的に設けられ、前記上挟み板の底端には下挟み板がヒンジによって連結され、前記上挟み板と前記下挟み板とがヒンジにより連結されるところがトーションばねを通じて弾性的に連結され、前記上挟み板と前記下挟み板とがテーブルの角に挟むことができ、装置全体をテーブルに固定的に取り付け、前記主体の右側端面にはラック溝が設けられ、前記ラック溝の中にはラック機構が設けられ、前記ラック機構は前記Ｔ型ブロックの回転をコントロールでき、これにより前記照明機構と前記扇風機機構との間に切り替えることができる。
【０００６】
更の技術プラン、前記発電機構は前記凹溝の中に回転できるように設けられたハンドルを含み、前記ハンドルの中にはスライド溝が設けられ、前記スライド溝の中にはスライドブロックがスライドできるように取り付けられ、前記中部空きチャンバの底壁には底部溝が設けられ、前記底部溝の中には発電ラックがスライドできるように設けられ、前記発電ラックの左側末端には円柱ブロックがヒンジによって連結され、前記凹溝の底壁には連動ロッドがヒンジによって連結され、前記円柱ブロックが連動ロッドの外周にスライドできるように取り付けられ、前記連動ロッドの頂端が前記スライドブロックとヒンジにより連結され、前記発電チャンバと前記中部空きチャンバとの間には上下に伸びている発電軸が回転できるように設けられ、前記発電軸の底端には滑車輪が固定的に設けられ、前記滑車輪と前記発電ラックとが噛み合い、前記発電軸の外周には回転盤が固定的に設けられ、前記回転盤の底端には回転飛びブロックがヒンジによって連結され、前記回転飛びブロックが左右対称に設けられ、前記発電軸の頂端には前記発電チャンバの中に位置する磁石が固定的に設けられ、前記発電チャンバの中には発電導線も設けられ、前記発電導線と前記バッテリーとが電力が伝達できるように接続され、本装置を手で持ち、ハンドルを握り、連動ロッドが円柱ブロックによって発電ラックを押し、滑車輪を回転させ、かつ滑車輪が一つの方向にしか回転できなく、これにより発電軸を回転連動させ、回転飛びブロックを回転連動させ、磁石を回転させ、発電の目的を達する。
【０００７】
更の技術プラン、前記照明機構は前記伝動チャンバの左側端壁の中に回転できるように設けられたメイン軸を含み、前記メイン軸の左側末端にはファンが固定的に設けられ、前記メイン軸の右端には従動歯車が固定的に設けられ、前記Ｔ型ブロックの底部の前記主体の中には導電盤が固定的に設けられ、前記伝動チャンバの底壁の中には軸スリーブが回転できるように設けられ、前記軸スリーブの中には動力軸が回転できるように設けられ、前記動力軸の頂端には前記従動歯車と噛み合うように設けられた動力歯車が固定的に設けられ、前記動力軸の底端が前記主体の中に固定的に嵌められるモーターと動力が伝達できるように連結され、前記モーターと前記バッテリーとが電力が伝達できるように接続され、前記Ｔ型ブロックの右側端面には照明チャンバが設けられ、前記照明チャンバの中には照明電球がねじ山によって係合し取り付けられ、前記照明電球と前記導電盤とが電力が伝達できるように接続され、前記導電盤と前記バッテリーとが電線によって電力が伝達できるように接続され、動力軸が回転し、動力歯車を回転連動させ、メイン軸を回転連動させ、ファンを回転させる。
【０００８】
更の技術プラン、前記ラック機構は前記ラック溝の底壁の中に回転できるように設けられた縦軸を含み、前記縦軸の底部が下へ伸びており、かつ前記縦軸の底端には大型歯車が固定的に設けられ、前記大型歯車と前記Ｔ型ブロックとが噛み合い、前記大型歯車の底端には円盤が固定的に設けられ、前記円盤の左右両端には引掛り溝が対称的に設けられ、前記円盤の右側には引掛りブロックがスライドできるように設けられ、前記引掛りブロックは前記引掛り溝の中に引っ掛かることができ、前記円盤の位置を制限し、これにより前記Ｔ型ブロックの位置が制限され、前記引掛りブロックの底端にはリセット機構が固定的に設けられ、、前記縦軸の外周には小型歯車が固定的に設けられ、前記ラック溝の中にはラックがスライドできるように設けられ、前記ラックと前記小型歯車とが噛合し設けられ、前記ラックの左側端面と前記ラック溝の左側端壁との間にはバネが弾性的にに連結され、前記主体の右端面には回転ブロックがヒンジによって設けられ、前記回転ブロックと前記ラックとが当接し係合され、まず引掛りブロックを右に引き出し、同時に回転ブロックの上半部分を押し、ラックを左に移動させ、これにより小型歯車が回転し、大型歯車を回転連動させることによりＴ型ブロックを回転させ、扇風機機構と照明機構との位置交換を実現する。
【０００９】
使用する時、手持ちの必要がない時、上挟み板と下挟み板とにより装置をテーブルに挟み、手持ちの時、手動でハンドルを握り、これにより連動ロッドが発電ラックを右に往復移動させ、これにより滑車輪が回転し、滑車輪が発電軸を回転連動させ、これにより回転飛びブロックが回転し、これにより磁石が回転し、磁石と発電導線とが電磁誘導によって発電し、バッテリーを充電させ、モーターを始動し、動力軸を回転させ、これにより動力歯車が従動歯車を回転連動させ、これによりメイン軸が回転し、メイン軸がファンを回転連動させ、照明が必要の時、引掛りブロックを引き、引掛りブロックを右側の引掛り溝から離れさせ、回転ブロックの頂部を押し、これによりラックが小型歯車を回転連動させ、これにより大型歯車が回転し、Ｔ型ブロックを回転連動させ、扇風機機構と照明機構の位置を交換させ、これにより照明することができる。
【発明の効果】
【００１０】
本発明は構造が簡単で、操作が便利であり、手動でハンドルを握ることにより、発電機構が発電でき、装置が更に環境保護によくなり、電力を節約し、更に本発明は風吹きと照明の二つの機能を切り替えることができ、装置の実用性と機能性を増え、夜間に便利に使うことができ、装置の普及価値を増える。
【図面の簡単な説明】
【００１１】
【図１】図１は本発明の多機能手持ち小型扇風機の内部全体構成略図
【図２】図２は図１のＡの部分拡大構成略図
【図３】図３は図１のＢの部分拡大構成略図
【図４】図４は本発明の滑車輪と発電ラックとの協働略図
【発明を実施するための形態】
【００１２】
以下に図１−４を交えて本発明について詳しく説明する。便利に叙述するために、現在は後文に出る方位を下記の通りに規定する：後文に出る上下左右前後方向は図１本体の投影関係の上下左右前後方向と一致する。
【００１３】
図１−４を参照し、本発明の多機能手持ち小型扇風機は、主体１０を含み、前記主体１０の頂端にはＴ型ブロック２９が回転できるように設けられ、前記Ｔ型ブロック２９の中には伝動チャンバ３３が設けられ、前記伝動チャンバ３３の中には扇風機機構７０と照明機構７１が設けられ、前記扇風機機構７０は風を吹くことができ、風吹きが必要とされない場合は、前記Ｔ型ブロック２９を回して照明機構７１に切り替えることにより照明でき、前記主体１０の左側端面には凹溝１７が設けられ、前記凹溝１７の右側には中部空きチャンバ５３が設けられ、前記中部空きチャンバ５３の頂部の前記主体１０の中には発電チャンバ２０が設けられ、前記発電チャンバ２０の中には発電機構７３が設けられ、前記発電機構７３の頂部の前記主体１０の中にはバッテリー２１が固定的に設けられ、前記バッテリー２１は蓄電することができ、かつ前記扇風機機構７０と前記照明機構７１に電力を提供し、前記主体１０の底端には上挟み板１１が固定的に設けられ、前記上挟み板１１の底端には下挟み板１２がヒンジによって連結され、前記上挟み板１１と前記下挟み板１２とがヒンジにより連結されるところがトーションばね１３を通じて弾性的に連結され、前記上挟み板１１と前記下挟み板１２とがテーブルの角に挟むことができ、装置全体をテーブルに固定的に取り付け、前記主体１０の右側端面にはラック溝４３が設けられ、前記ラック溝４３の中にはラック機構７２が設けられ、前記ラック機構７２は前記Ｔ型ブロック２９の回転をコントロールでき、これにより前記照明機構７１と前記扇風機機構７０との間に切り替えることができる。
【００１４】
前記発電機構７３は前記凹溝１７の中に回転できるように設けられたハンドル１４を含み、前記ハンドル１４の中にはスライド溝１６が設けられ、前記スライド溝１６の中にはスライドブロック１５がスライドできるように取り付けられ、前記中部空きチャンバ５３の底壁には底部溝５８が設けられ、前記底部溝５８の中には発電ラック５７がスライドできるように設けられ、前記発電ラック５７の左側末端には円柱ブロック５０がヒンジによって連結され、前記凹溝１７の底壁には連動ロッド５１がヒンジによって連結され、前記円柱ブロック５０が連動ロッド５１の外周にスライドできるように取り付けられ、前記連動ロッド５１の頂端が前記スライドブロック１５とヒンジにより連結され、前記発電チャンバ２０と前記中部空きチャンバ５３との間には上下に伸びている発電軸５９が回転できるように設けられ、前記発電軸５９の底端には滑車輪５６が固定的に設けられ、前記滑車輪５６と前記発電ラック５７とが噛み合い、前記発電軸５９の外周には回転盤５４が固定的に設けられ、前記回転盤５４の底端には回転飛びブロック５５がヒンジによって連結され、前記回転飛びブロック５５が左右対称に設けられ、前記発電軸５９の頂端には前記発電チャンバ２０の中に位置する磁石１８が固定的に設けられ、前記発電チャンバ２０の中には発電導線１９も設けられ、前記発電導線１９と前記バッテリー２１とが電力が伝達できるように接続され、本装置を手で持ち、ハンドル１４を握り、連動ロッド５１が円柱ブロック５０によって発電ラック５７を押し、滑車輪５６を回転させ、かつ滑車輪５６が一つの方向にしか回転できなく、これにより発電軸５９を回転連動させ、回転飛びブロック５５を回転連動させ、磁石１８を回転させ、発電の目的を達する。
【００１５】
前記照明機構７１は前記伝動チャンバ３３の左側端壁の中に回転できるように設けられたメイン軸２８を含み、前記メイン軸２８の左側末端にはファン２７が固定的に設けられ、前記メイン軸２８の右端には従動歯車３０が固定的に設けられ、前記Ｔ型ブロック２９の底部の前記主体１０の中には導電盤２５が固定的に設けられ、前記伝動チャンバ３３の底壁の中には軸スリーブ２６が回転できるように設けられ、前記軸スリーブ２６の中には動力軸３２が回転できるように設けられ、前記動力軸３２の頂端には前記従動歯車３０と噛み合うように設けられた動力歯車３１が固定的に設けられ、前記動力軸３２の底端が前記主体１０の中に固定的に嵌められるモーター２４と動力が伝達できるように連結され、前記モーター２４と前記バッテリー２１とが電力が伝達できるように接続され、前記Ｔ型ブロック２９の右側端面には照明チャンバ３５が設けられ、前記照明チャンバ３５の中には照明電球３４がねじ山によって係合し取り付けられ、前記照明電球３４と前記導電盤２５とが電力が伝達できるように接続され、前記導電盤２５と前記バッテリー２１とが電線２３によって電力が伝達できるように接続され、動力軸３２が回転し、動力歯車３１を回転連動させ、メイン軸２８を回転連動させ、ファン２７を回転させる。
【００１６】
前記ラック機構７２は前記ラック溝４３の底壁の中に回転できるように設けられた縦軸４４を含み、前記縦軸４４の底部が下へ伸びており、かつ前記縦軸４４の底端には大型歯車４５が固定的に設けられ、前記大型歯車４５と前記Ｔ型ブロック２９とが噛み合い、前記大型歯車４５の底端には円盤４６が固定的に設けられ、前記円盤４６の左右両端には引掛り溝４７が対称的に設けられ、前記円盤４６の右側には引掛りブロック４８がスライドできるように設けられ、前記引掛りブロック４８は前記引掛り溝４７の中に引っ掛かることができ、前記円盤４６の位置を制限し、これにより前記Ｔ型ブロック２９の位置が制限され、前記引掛りブロック４８の底端にはリセット機構４９が固定的に設けられ、、前記縦軸４４の外周には小型歯車４２が固定的に設けられ、前記ラック溝４３の中にはラック４０がスライドできるように設けられ、前記ラック４０と前記小型歯車４２とが噛合し設けられ、前記ラック４０の左側端面と前記ラック溝４３の左側端壁との間にはバネ６０が弾性的にに連結され、前記主体１０の右端面には回転ブロック４１がヒンジによって設けられ、前記回転ブロック４１と前記ラック４０とが当接し係合され、まず引掛りブロック４８を右に引き出し、同時に回転ブロック４１の上半部分を押し、ラック４０を左に移動させ、これにより小型歯車４２が回転し、大型歯車４５を回転連動させることによりＴ型ブロック２９を回転させ、扇風機機構７０と照明機構７１との位置交換を実現する。
【００１７】
使用する時、手持ちの必要がない時、上挟み板１１と下挟み板１２とにより装置をテーブルに挟み、手持ちの時、手動でハンドル１４を握り、これにより連動ロッド５１が発電ラック５７を右に往復移動させ、これにより滑車輪５６が回転し、滑車輪５６が発電軸５９を回転連動させ、これにより回転飛びブロック５５が回転し、これにより磁石１８が回転し、磁石１８と発電導線１９とが電磁誘導によって発電し、バッテリー２１を充電させ、モーター２４を始動し、動力軸３２を回転させ、これにより動力歯車３１が従動歯車３０を回転連動させ、これによりメイン軸２８が回転し、メイン軸２８がファン２７を回転連動させ、照明が必要の時、引掛りブロック４８を引き、引掛りブロック４８を右側の引掛り溝４７から離れさせ、回転ブロック４１の頂部を押し、これによりラック４０が小型歯車４２を回転連動させ、これにより大型歯車４５が回転し、Ｔ型ブロック２９を回転連動させ、扇風機機構７０と照明機構７１の位置を交換させ、これにより照明することができる。
【００１８】
本発明の有益効果は：本発明は構造が簡単で、操作が便利であり、手動でハンドルを握ることにより、発電機構が発電でき、装置が更に環境保護によくなり、電力を節約し、更に本発明は風吹きと照明の二つの機能を切り替えることができ、装置の実用性と機能性を増え、夜間に便利に使うことができ、装置の普及価値を増える。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020176616.tif 000003
【図２】
2020176616.tif 000004
【図３】
2020176616.tif 000005
【図４】
2020176616.tif 000006
【手続補正書】
【提出日】令和1年7月12日(2019.7.12)
【手続補正１】
【補正対象書類名】特許請求の範囲
【補正対象項目名】全文
【補正方法】変更
【補正の内容】
【特許請求の範囲】
【請求項１】
主体を含み、前記主体の頂端にはＴ型ブロックが回転できるように設けられ、前記Ｔ型ブロックの中には伝動チャンバが設けられ、前記伝動チャンバの中には扇風機機構と照明機構が設けられ、前記扇風機機構は風を吹くことができ、風吹きが必要とされない場合は、前記Ｔ型ブロックを回して照明機構に切り替えることにより照明でき、前記主体の左側端面には凹溝が設けられ、前記凹溝の右側には中部空きチャンバが設けられ、前記中部空きチャンバの頂部の前記主体の中には発電チャンバが設けられ、前記発電チャンバの中には発電機構が設けられ、前記発電機構の頂部の前記主体の中にはバッテリーが固定的に設けられ、前記バッテリーは蓄電することができ、かつ前記扇風機機構と前記照明機構に電力を提供し、前記主体の底端には上挟み板が固定的に設けられ、前記上挟み板の底端には下挟み板がヒンジによって連結され、前記上挟み板と前記下挟み板とがヒンジにより連結されるところがトーションばねを通じて弾性的に連結され、前記上挟み板と前記下挟み板とがテーブルの角に挟むことができ、装置全体をテーブルに固定的に取り付け、前記主体の右側端面にはラック溝が設けられ、前記ラック溝の中にはラック機構が設けられ、前記ラック機構は前記Ｔ型ブロックの回転をコントロールでき、これにより前記照明機構と前記扇風機機構との間に切り替えることができることを特徴とする多機能手持ち小型扇風機。
【請求項２】
前記発電機構は前記凹溝の中に回転できるように設けられたハンドルを含み、前記ハンドルの中にはスライド溝が設けられ、前記スライド溝の中にはスライドブロックがスライドできるように取り付けられ、前記中部空きチャンバの底壁には底部溝が設けられ、前記底部溝の中には発電ラックがスライドできるように設けられ、前記発電ラックの左側末端には円柱ブロックがヒンジによって連結され、前記凹溝の底壁には連動ロッドがヒンジによって連結され、前記円柱ブロックが連動ロッドの外周にスライドできるように取り付けられ、前記連動ロッドの頂端が前記スライドブロックとヒンジにより連結され、前記発電チャンバと前記中部空きチャンバとの間には上下に伸びている発電軸が回転できるように設けられ、前記発電軸の底端には滑車輪が固定的に設けられ、前記滑車輪と前記発電ラックとが噛み合い、前記発電軸の外周には回転盤が固定的に設けられ、前記回転盤の底端には回転飛びブロックがヒンジによって連結され、前記回転飛びブロックが左右対称に設けられ、前記発電軸の頂端には前記発電チャンバの中に位置する磁石が固定的に設けられ、前記発電チャンバの中には発電導線も設けられ、前記発電導線と前記バッテリーとが電力が伝達できるように接続され、本装置を手で持ち、ハンドルを握り、連動ロッドが円柱ブロックによって発電ラックを押し、滑車輪を回転させ、かつ滑車輪が一つの方向にしか回転できなく、これにより発電軸を回転連動させ、回転飛びブロックを回転連動させ、磁石を回転させ、発電の目的を達することを特徴とする請求項１に記載の多機能手持ち小型扇風機。
【請求項３】
前記照明機構及び前記扇風機機構は前記伝動チャンバの左側端壁の中に回転できるように設けられたメイン軸を含み、前記メイン軸の左側末端にはファンが固定的に設けられ、前記メイン軸の右端には従動歯車が固定的に設けられ、前記Ｔ型ブロックの底部の前記主体の中には導電盤が固定的に設けられ、前記伝動チャンバの底壁の中には軸スリーブが回転できるように設けられ、前記軸スリーブの中には動力軸が回転できるように設けられ、前記動力軸の頂端には前記従動歯車と噛み合うように設けられた動力歯車が固定的に設けられ、前記動力軸の底端が前記主体の中に固定的に嵌められるモーターと動力が伝達できるように連結され、前記モーターと前記バッテリーとが電力が伝達できるように接続され、前記Ｔ型ブロックの右側端面には照明チャンバが設けられ、前記照明チャンバの中には照明電球がねじ山によって係合し取り付けられ、前記照明電球と前記導電盤とが電力が伝達できるように接続され、前記導電盤と前記バッテリーとが電線によって電力が伝達できるように接続され、動力軸が回転し、動力歯車を回転連動させ、メイン軸を回転連動させ、ファンを回転させることを特徴とする請求項１に記載の多機能手持ち小型扇風機。
【請求項４】
前記ラック機構は前記ラック溝の底壁の中に回転できるように設けられた縦軸を含み、前記縦軸の底部が下へ伸びており、かつ前記縦軸の底端には大型歯車が固定的に設けられ、前記大型歯車と前記Ｔ型ブロックとが噛み合い、前記大型歯車の底端には円盤が固定的に設けられ、前記円盤の左右両端には引掛り溝が対称的に設けられ、前記円盤の右側には引掛りブロックがスライドできるように設けられ、前記引掛りブロックは前記引掛り溝の中に引っ掛かることができ、前記円盤の位置を制限し、これにより前記Ｔ型ブロックの位置が制限され、前記引掛りブロックの底端にはリセット機構が固定的に設けられ、、前記縦軸の外周には小型歯車が固定的に設けられ、前記ラック溝の中にはラックがスライドできるように設けられ、前記ラックと前記小型歯車とが噛合し設けられ、前記ラックの左側端面と前記ラック溝の左側端壁との間にはバネが弾性的にに連結され、前記主体の右端面には回転ブロックがヒンジによって設けられ、前記回転ブロックと前記ラックとが当接し係合され、まず引掛りブロックを右に引き出し、同時に回転ブロックの上半部分を押し、ラックを左に移動させ、これにより小型歯車が回転し、大型歯車を回転連動させることによりＴ型ブロックを回転させ、扇風機機構と照明機構との位置交換を実現することを特徴とする請求項１に記載の多機能手持ち小型扇風機。
【手続補正２】
【補正対象書類名】明細書
【補正対象項目名】全文
【補正方法】変更
【補正の内容】
【発明の詳細な説明】
【技術分野】
【０００１】
本発明は扇風機技術分野を取り上げて、具体的には多機能手持ち小型扇風機である。
【背景技術】
【０００２】
外出や旅行する時、暑い天気の時、人々は一般的に手持ち扇風機で風を吹いて温度を下げ、現在では手持ち小型扇風機の機能のほとんどが単一であり、日常の使用要求に満足できなく、従って、多機能手持ち小型扇風機を設計する必要があり、夜間の使用要求を満足する。
【先行技術文献】
【特許文献】
【０００３】
【特許文献１】中国特許出願公開第１０６５４５５０６号明細書
【発明の概要】
【発明が解決しようとする課題】
【０００４】
本発明の目的は多機能手持ち小型扇風機を提供し、それは上記の現在の技術中の問題を解決できる。
【課題を解決するための手段】
【０００５】
本発明の多機能手持ち小型扇風機は、主体を含み、前記主体の頂端にはＴ型ブロックが回転できるように設けられ、前記Ｔ型ブロックの中には伝動チャンバが設けられ、前記伝動チャンバの中には扇風機機構と照明機構が設けられ、前記扇風機機構は風を吹くことができ、風吹きが必要とされない場合は、前記Ｔ型ブロックを回して照明機構に切り替えることにより照明でき、前記主体の左側端面には凹溝が設けられ、前記凹溝の右側には中部空きチャンバが設けられ、前記中部空きチャンバの頂部の前記主体の中には発電チャンバが設けられ、前記発電チャンバの中には発電機構が設けられ、前記発電機構の頂部の前記主体の中にはバッテリーが固定的に設けられ、前記バッテリーは蓄電することができ、かつ前記扇風機機構と前記照明機構に電力を提供し、前記主体の底端には上挟み板が固定的に設けられ、前記上挟み板の底端には下挟み板がヒンジによって連結され、前記上挟み板と前記下挟み板とがヒンジにより連結されるところがトーションばねを通じて弾性的に連結され、前記上挟み板と前記下挟み板とがテーブルの角に挟むことができ、装置全体をテーブルに固定的に取り付け、前記主体の右側端面にはラック溝が設けられ、前記ラック溝の中にはラック機構が設けられ、前記ラック機構は前記Ｔ型ブロックの回転をコントロールでき、これにより前記照明機構と前記扇風機機構との間に切り替えることができる。
【０００６】
更の技術プラン、前記発電機構は前記凹溝の中に回転できるように設けられたハンドルを含み、前記ハンドルの中にはスライド溝が設けられ、前記スライド溝の中にはスライドブロックがスライドできるように取り付けられ、前記中部空きチャンバの底壁には底部溝が設けられ、前記底部溝の中には発電ラックがスライドできるように設けられ、前記発電ラックの左側末端には円柱ブロックがヒンジによって連結され、前記凹溝の底壁には連動ロッドがヒンジによって連結され、前記円柱ブロックが連動ロッドの外周にスライドできるように取り付けられ、前記連動ロッドの頂端が前記スライドブロックとヒンジにより連結され、前記発電チャンバと前記中部空きチャンバとの間には上下に伸びている発電軸が回転できるように設けられ、前記発電軸の底端には滑車輪が固定的に設けられ、前記滑車輪と前記発電ラックとが噛み合い、前記発電軸の外周には回転盤が固定的に設けられ、前記回転盤の底端には回転飛びブロックがヒンジによって連結され、前記回転飛びブロックが左右対称に設けられ、前記発電軸の頂端には前記発電チャンバの中に位置する磁石が固定的に設けられ、前記発電チャンバの中には発電導線も設けられ、前記発電導線と前記バッテリーとが電力が伝達できるように接続され、本装置を手で持ち、ハンドルを握り、連動ロッドが円柱ブロックによって発電ラックを押し、滑車輪を回転させ、かつ滑車輪が一つの方向にしか回転できなく、これにより発電軸を回転連動させ、回転飛びブロックを回転連動させ、磁石を回転させ、発電の目的を達する。
【０００７】
更の技術プラン、前記照明機構及び前記扇風機機構は前記伝動チャンバの左側端壁の中に回転できるように設けられたメイン軸を含み、前記メイン軸の左側末端にはファンが固定的に設けられ、前記メイン軸の右端には従動歯車が固定的に設けられ、前記Ｔ型ブロックの底部の前記主体の中には導電盤が固定的に設けられ、前記伝動チャンバの底壁の中には軸スリーブが回転できるように設けられ、前記軸スリーブの中には動力軸が回転できるように設けられ、前記動力軸の頂端には前記従動歯車と噛み合うように設けられた動力歯車が固定的に設けられ、前記動力軸の底端が前記主体の中に固定的に嵌められるモーターと動力が伝達できるように連結され、前記モーターと前記バッテリーとが電力が伝達できるように接続され、前記Ｔ型ブロックの右側端面には照明チャンバが設けられ、前記照明チャンバの中には照明電球がねじ山によって係合し取り付けられ、前記照明電球と前記導電盤とが電力が伝達できるように接続され、前記導電盤と前記バッテリーとが電線によって電力が伝達できるように接続され、動力軸が回転し、動力歯車を回転連動させ、メイン軸を回転連動させ、ファンを回転させる。
【０００８】
更の技術プラン、前記ラック機構は前記ラック溝の底壁の中に回転できるように設けられた縦軸を含み、前記縦軸の底部が下へ伸びており、かつ前記縦軸の底端には大型歯車が固定的に設けられ、前記大型歯車と前記Ｔ型ブロックとが噛み合い、前記大型歯車の底端には円盤が固定的に設けられ、前記円盤の左右両端には引掛り溝が対称的に設けられ、前記円盤の右側には引掛りブロックがスライドできるように設けられ、前記引掛りブロックは前記引掛り溝の中に引っ掛かることができ、前記円盤の位置を制限し、これにより前記Ｔ型ブロックの位置が制限され、前記引掛りブロックの底端にはリセット機構が固定的に設けられ、、前記縦軸の外周には小型歯車が固定的に設けられ、前記ラック溝の中にはラックがスライドできるように設けられ、前記ラックと前記小型歯車とが噛合し設けられ、前記ラックの左側端面と前記ラック溝の左側端壁との間にはバネが弾性的にに連結され、前記主体の右端面には回転ブロックがヒンジによって設けられ、前記回転ブロックと前記ラックとが当接し係合され、まず引掛りブロックを右に引き出し、同時に回転ブロックの上半部分を押し、ラックを左に移動させ、これにより小型歯車が回転し、大型歯車を回転連動させることによりＴ型ブロックを回転させ、扇風機機構と照明機構との位置交換を実現する。
【０００９】
使用する時、手持ちの必要がない時、上挟み板と下挟み板とにより装置をテーブルに挟み、手持ちの時、手動でハンドルを握り、これにより連動ロッドが発電ラックを右に往復移動させ、これにより滑車輪が回転し、滑車輪が発電軸を回転連動させ、これにより回転飛びブロックが回転し、これにより磁石が回転し、磁石と発電導線とが電磁誘導によって発電し、バッテリーを充電させ、モーターを始動し、動力軸を回転させ、これにより動力歯車が従動歯車を回転連動させ、これによりメイン軸が回転し、メイン軸がファンを回転連動させ、照明が必要の時、引掛りブロックを引き、引掛りブロックを右側の引掛り溝から離れさせ、回転ブロックの頂部を押し、これによりラックが小型歯車を回転連動させ、これにより大型歯車が回転し、Ｔ型ブロックを回転連動させ、扇風機機構と照明機構の位置を交換させ、これにより照明することができる。
【発明の効果】
【００１０】
本発明は構造が簡単で、操作が便利であり、手動でハンドルを握ることにより、発電機構が発電でき、装置が更に環境保護によくなり、電力を節約し、更に本発明は風吹きと照明の二つの機能を切り替えることができ、装置の実用性と機能性を増え、夜間に便利に使うことができ、装置の普及価値を増える。
【図面の簡単な説明】
【００１１】
【図１】図１は本発明の多機能手持ち小型扇風機の内部全体構成略図
【図２】図２は図１のＡの部分拡大構成略図
【図３】図３は図１のＢの部分拡大構成略図
【図４】図４は本発明の滑車輪と発電ラックとの協働略図
【発明を実施するための形態】
【００１２】
下記に図1〜４をあわせて本発明について詳しく説明し、便利に説明するために、下記の方向を以下のように規定する：図１は本発明装置の正面図であり、以下に述べる上下左右前後の方向と図1の自身投影関係の上下左右前後の方向とが一致である。
【００１３】
図１−４を参照し、本発明の多機能手持ち小型扇風機は、主体１０を含み、前記主体１０の頂端にはＴ型ブロック２９が回転できるように設けられ、前記Ｔ型ブロック２９の中には伝動チャンバ３３が設けられ、前記伝動チャンバ３３の中には扇風機機構７０と照明機構７１が設けられ、前記扇風機機構７０は風を吹くことができ、風吹きが必要とされない場合は、前記Ｔ型ブロック２９を回して照明機構７１に切り替えることにより照明でき、前記主体１０の左側端面には凹溝１７が設けられ、前記凹溝１７の右側には中部空きチャンバ５３が設けられ、前記中部空きチャンバ５３の頂部の前記主体１０の中には発電チャンバ２０が設けられ、前記発電チャンバ２０の中には発電機構７３が設けられ、前記発電機構７３の頂部の前記主体１０の中にはバッテリー２１が固定的に設けられ、前記バッテリー２１は蓄電することができ、かつ前記扇風機機構７０と前記照明機構７１に電力を提供し、前記主体１０の底端には上挟み板１１が固定的に設けられ、前記上挟み板１１の底端には下挟み板１２がヒンジによって連結され、前記上挟み板１１と前記下挟み板１２とがヒンジにより連結されるところがトーションばね１３を通じて弾性的に連結され、前記上挟み板１１と前記下挟み板１２とがテーブルの角に挟むことができ、装置全体をテーブルに固定的に取り付け、前記主体１０の右側端面にはラック溝４３が設けられ、前記ラック溝４３の中にはラック機構７２が設けられ、前記ラック機構７２は前記Ｔ型ブロック２９の回転をコントロールでき、これにより前記照明機構７１と前記扇風機機構７０との間に切り替えることができる。
【００１４】
前記発電機構７３は前記凹溝１７の中に回転できるように設けられたハンドル１４を含み、前記ハンドル１４の中にはスライド溝１６が設けられ、前記スライド溝１６の中にはスライドブロック１５がスライドできるように取り付けられ、前記中部空きチャンバ５３の底壁には底部溝５８が設けられ、前記底部溝５８の中には発電ラック５７がスライドできるように設けられ、前記発電ラック５７の左側末端には円柱ブロック５０がヒンジによって連結され、前記凹溝１７の底壁には連動ロッド５１がヒンジによって連結され、前記円柱ブロック５０が連動ロッド５１の外周にスライドできるように取り付けられ、前記連動ロッド５１の頂端が前記スライドブロック１５とヒンジにより連結され、前記発電チャンバ２０と前記中部空きチャンバ５３との間には上下に伸びている発電軸５９が回転できるように設けられ、前記発電軸５９の底端には滑車輪５６が固定的に設けられ、前記滑車輪５６と前記発電ラック５７とが噛み合い、前記発電軸５９の外周には回転盤５４が固定的に設けられ、前記回転盤５４の底端には回転飛びブロック５５がヒンジによって連結され、前記回転飛びブロック５５が左右対称に設けられ、前記発電軸５９の頂端には前記発電チャンバ２０の中に位置する磁石１８が固定的に設けられ、前記発電チャンバ２０の中には発電導線１９も設けられ、前記発電導線１９と前記バッテリー２１とが電力が伝達できるように接続され、本装置を手で持ち、ハンドル１４を握り、連動ロッド５１が円柱ブロック５０によって発電ラック５７を押し、滑車輪５６を回転させ、かつ滑車輪５６が一つの方向にしか回転できなく、これにより発電軸５９を回転連動させ、回転飛びブロック５５を回転連動させ、磁石１８を回転させ、発電の目的を達する。
【００１５】
前記照明機構７１及び前記扇風機機構７０は前記伝動チャンバ３３の左側端壁の中に回転できるように設けられたメイン軸２８を含み、前記メイン軸２８の左側末端にはファン２７が固定的に設けられ、前記メイン軸２８の右端には従動歯車３０が固定的に設けられ、前記Ｔ型ブロック２９の底部の前記主体１０の中には導電盤２５が固定的に設けられ、前記伝動チャンバ３３の底壁の中には軸スリーブ２６が回転できるように設けられ、前記軸スリーブ２６の中には動力軸３２が回転できるように設けられ、前記動力軸３２の頂端には前記従動歯車３０と噛み合うように設けられた動力歯車３１が固定的に設けられ、前記動力軸３２の底端が前記主体１０の中に固定的に嵌められるモーター２４と動力が伝達できるように連結され、前記モーター２４と前記バッテリー２１とが電力が伝達できるように接続され、前記Ｔ型ブロック２９の右側端面には照明チャンバ３５が設けられ、前記照明チャンバ３５の中には照明電球３４がねじ山によって係合し取り付けられ、前記照明電球３４と前記導電盤２５とが電力が伝達できるように接続され、前記導電盤２５と前記バッテリー２１とが電線２３によって電力が伝達できるように接続され、動力軸３２が回転し、動力歯車３１を回転連動させ、メイン軸２８を回転連動させ、ファン２７を回転させる。
【００１６】
前記ラック機構７２は前記ラック溝４３の底壁の中に回転できるように設けられた縦軸４４を含み、前記縦軸４４の底部が下へ伸びており、かつ前記縦軸４４の底端には大型歯車４５が固定的に設けられ、前記大型歯車４５と前記Ｔ型ブロック２９とが噛み合い、前記大型歯車４５の底端には円盤４６が固定的に設けられ、前記円盤４６の左右両端には引掛り溝４７が対称的に設けられ、前記円盤４６の右側には引掛りブロック４８がスライドできるように設けられ、前記引掛りブロック４８は前記引掛り溝４７の中に引っ掛かることができ、前記円盤４６の位置を制限し、これにより前記Ｔ型ブロック２９の位置が制限され、前記引掛りブロック４８の底端にはリセット機構４９が固定的に設けられ、、前記縦軸４４の外周には小型歯車４２が固定的に設けられ、前記ラック溝４３の中にはラック４０がスライドできるように設けられ、前記ラック４０と前記小型歯車４２とが噛合し設けられ、前記ラック４０の左側端面と前記ラック溝４３の左側端壁との間にはバネ６０が弾性的にに連結され、前記主体１０の右端面には回転ブロック４１がヒンジによって設けられ、前記回転ブロック４１と前記ラック４０とが当接し係合され、まず引掛りブロック４８を右に引き出し、同時に回転ブロック４１の上半部分を押し、ラック４０を左に移動させ、これにより小型歯車４２が回転し、大型歯車４５を回転連動させることによりＴ型ブロック２９を回転させ、扇風機機構７０と照明機構７１との位置交換を実現する。
【００１７】
使用する時、手持ちの必要がない時、上挟み板１１と下挟み板１２とにより装置をテーブルに挟み、手持ちの時、手動でハンドル１４を握り、これにより連動ロッド５１が発電ラック５７を右に往復移動させ、これにより滑車輪５６が回転し、滑車輪５６が発電軸５９を回転連動させ、これにより回転飛びブロック５５が回転し、これにより磁石１８が回転し、磁石１８と発電導線１９とが電磁誘導によって発電し、バッテリー２１を充電させ、モーター２４を始動し、動力軸３２を回転させ、これにより動力歯車３１が従動歯車３０を回転連動させ、これによりメイン軸２８が回転し、メイン軸２８がファン２７を回転連動させ、照明が必要の時、引掛りブロック４８を引き、引掛りブロック４８を右側の引掛り溝４７から離れさせ、回転ブロック４１の頂部を押し、これによりラック４０が小型歯車４２を回転連動させ、これにより大型歯車４５が回転し、Ｔ型ブロック２９を回転連動させ、扇風機機構７０と照明機構７１の位置を交換させ、これにより照明することができる。
【００１８】
本発明の有益効果は：本発明は構造が簡単で、操作が便利であり、手動でハンドルを握ることにより、発電機構が発電でき、装置が更に環境保護によくなり、電力を節約し、更に本発明は風吹きと照明の二つの機能を切り替えることができ、装置の実用性と機能性を増え、夜間に便利に使うことができ、装置の普及価値を増える。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年12月9日(2019.12.9)
【手続補正１】
【補正対象書類名】特許請求の範囲
【補正対象項目名】請求項１
【補正方法】変更
【補正の内容】
【請求項１】
正面視で左上にファンを有する多機能手持ち小型扇風機であって、主体を含み、前記主体の頂端にはＴ型ブロックが回転できるように設けられ、前記Ｔ型ブロックの中には伝動チャンバが設けられ、前記伝動チャンバの中には扇風機機構と照明機構が設けられ、前記扇風機機構は風を吹くことができ、風吹きが必要とされない場合は、前記Ｔ型ブロックを回して照明機構に切り替えることにより照明でき、前記主体の左側端面には凹溝が設けられ、前記凹溝の右側には中部空きチャンバが設けられ、前記中部空きチャンバの頂部の前記主体の中には発電チャンバが設けられ、前記発電チャンバの中には発電機構が設けられ、前記発電機構の頂部の前記主体の中にはバッテリーが固定的に設けられ、前記バッテリーは蓄電することができ、かつ前記扇風機機構と前記照明機構に電力を提供し、前記主体の底端には上挟み板が固定的に設けられ、前記上挟み板の底端には下挟み板がヒンジによって連結され、前記上挟み板と前記下挟み板とがヒンジにより連結されるところがトーションばねを通じて弾性的に連結され、前記上挟み板と前記下挟み板とがテーブルの角に挟むことができ、装置全体をテーブルに固定的に取り付け、前記主体の右側端面にはラック溝が設けられ、前記ラック溝の中にはラック機構が設けられ、前記ラック機構は前記Ｔ型ブロックの回転をコントロールでき、これにより前記照明機構と前記扇風機機構との間に切り替えることができることを特徴とする多機能手持ち小型扇風機。